(57)【要約】【課題】少ない動力でもって、効率的な曝気と攪拌をすることができる曝気攪拌機を提供すること。【解決手段】回転軸１の上部に上向き流を発生させる上部攪拌羽根２を取り付けるとともに、回転軸１の下部に下向き流を発生させる下部攪拌羽根３を取り付け、上下部攪拌羽根２、３の間に取水口４１を有して回転軸１の周囲を覆う筒体４を設け、下部攪拌羽根３の下側と上部攪拌羽根２の上側とに上下部の筒管５１、５２から気泡を供給する散気装置５を設ける。【選択図】図１
2010017655.tif 000002
【特許請求の範囲】
【請求項１】
回転軸の上部に上向き流を発生させる上部攪拌羽根を取り付けるとともに、回転軸の下部に下向き流を発生させる下部攪拌羽根を取り付け、該上下部攪拌羽根の間に取水口を有して回転軸の周囲を覆う筒体を設け、少なくとも下部攪拌羽根の下側に気泡を供給する散気装置を設けたことを特徴とする曝気攪拌機。
【請求項２】
散気装置が、上部攪拌羽根の上側に気泡を供給することを特徴とする請求項１記載の曝気攪拌機。
【請求項３】
気泡を放出する気孔を筒管の内側に設け、該筒管の内径を筒体の上部又は下部開口部と略同径にしたことを特徴とする請求項１又は２記載の曝気攪拌機。
【請求項４】
断面を円形又は多角形に形成した筒管の内側に気孔を設けたことを特徴とする請求項１、２又は３記載の曝気攪拌機。
【請求項５】
散気装置が、水に微細気泡を発生させるとともに、該微細気泡を含んだ酸素リッチ水を外部から供給することを特徴とする請求項１、２、３又は４記載の曝気攪拌機。
【請求項６】
回転軸を中空に形成するとともに、散気装置が該回転軸の内部に微細気泡を含んだ酸素リッチ水を供給することを特徴とする請求項５記載の曝気攪拌機。
【発明の詳細な説明】
【技術分野】
【０００１】
本発明は、下水あるいは汚水を処理する廃水処理施設において、流入した汚水と微生物を主体とする活性汚泥を曝気・攪拌する曝気攪拌機に関するものである。
【背景技術】
【０００２】
下水処理場などの廃水処理施設では、流入した下水あるいは汚水を処理するに際し、当該汚水あるいは下水と微生物を主体とする活性汚泥を水槽において混合・攪拌し、さらに当該水槽に空気を供給、すなわち曝気することによって、活性汚泥微生物が空気中の酸素を利用し、下水あるいは汚水中の汚濁物を分解している。
【０００３】
近年においては、水槽底部付近に散気装置を設置し、外部に設けた送風機から該散気装置に圧縮空気を導入することにより、水槽内に空気を供給する曝気方法が多く見られる。
この方法では、散気装置から放出される空気を１ミリメートル以下の微細な気泡にすることにより気泡の表面積を大きくし、もって液相への酸素移動効率を高めている。
【０００４】
しかしながら、この散気装置では、圧縮空気を水槽底部付近に導入するために大容量の送風機が必要となり、その運転に多大な動力が必要となっている。
また、水槽内での汚水の処理を良好に行うためには、散気装置から放出される空気を水槽全体に行き渡らせる、すなわち水槽内を適切に混合・攪拌する必要があるが、散気装置による曝気方法では、補助的に攪拌装置を設けたり、導入する圧縮空気の量を増やすなど、さらに多大な動力が必要となるなどの問題がある。
【発明の開示】
【発明が解決しようとする課題】
【０００５】
本発明は、上記従来の曝気・攪拌方法が有する問題点に鑑み、少ない動力でもって、効率的な曝気と攪拌をすることができる曝気攪拌機を提供することを目的とする。
【課題を解決するための手段】
【０００６】
上記目的を達成するため、本発明の曝気攪拌機は、回転軸の上部に上向き流を発生させる上部攪拌羽根を取り付けるとともに、回転軸の下部に下向き流を発生させる下部攪拌羽根を取り付け、該上下部攪拌羽根の間に取水口を有して回転軸の周囲を覆う筒体を設け、少なくとも下部攪拌羽根の下側に気泡を供給する散気装置を設けたことを特徴とする。
【０００７】
この場合において、散気装置が、上部攪拌羽根の上側に気泡を供給することができる。
【０００８】
また、気泡を放出する気孔を筒管の内側に設け、該筒管の内径を筒体の上部又は下部開口部と略同径にすることができる。
【０００９】
また、断面を円形又は多角形に形成した筒管の内側に気孔を設けることができる。
【００１０】
また、散気装置が、水に微細気泡を発生させるとともに、該微細気泡を含んだ酸素リッチ水を外部から供給することができる。
【００１１】
また、回転軸を中空に形成するとともに、散気装置が該回転軸の内部に微細気泡を含んだ酸素リッチ水を供給することができる。
【発明の効果】
【００１２】
本発明の曝気攪拌機によれば、回転軸の上部に上向き流を発生させる上部攪拌羽根を取り付けるとともに、回転軸の下部に下向き流を発生させる下部攪拌羽根を取り付け、該上下部攪拌羽根の間に取水口を有して回転軸の周囲を覆う筒体を設け、少なくとも下部攪拌羽根の下側に気泡を供給する散気装置を設けることから、散気装置からの気泡を下部攪拌羽根による強いせん断作用により微細化することができ、これにより、気泡を供給する気孔の径を大きくして空気の出口抵抗を減少させることができる。
また、微細化した気泡は曝気攪拌機による下降、上昇の水流とともに水槽の下部に長く滞留し、供給する空気量が少なくても必要な酸素溶解速度を得ることができ、これにより、空気の供給量を減じて散気装置のブロワの動力を大幅に低減することができる。
また、下部攪拌羽根の水流により、汚泥堆積を防止するために十分な底部流速の確保と槽内の均質攪拌を図ることができる。
【００１３】
この場合、散気装置が、上部攪拌羽根の上側に気泡を供給することにより、散気装置からの気泡を上部攪拌羽根による強いせん断作用により微細化するとともに、微細化した気泡は水流とともに水槽の上部に長く滞留することができる。
【００１４】
また、気泡を放出する気孔を筒管の内側に設け、該筒管の内径を筒体の上部又は下部開口部と略同径にすることにより、筒管の内側に発生するせん断流により気泡を微細化するとともに、攪拌羽根の水流の障害物にはならない構造とすることができる。
【００１５】
また、断面を円形又は多角形に形成した筒管の内側に気孔を設けることにより、気孔を密集させ、攪拌羽根の水流による負圧を利用して、空気を吹き込む動力を減らしたり、大気圧で気泡を供給したりすることができる。
【００１６】
また、散気装置が、水に微細気泡を発生させるとともに、該微細気泡を含んだ酸素リッチ水を外部から供給することにより、微細化した気泡を地上側で水に発生させ、散気装置のブロワの動力を大幅に低減するとともに、微細化した気泡を攪拌羽根の水流とともに水槽に長く滞留させ、少量の空気でも必要な酸素溶解速度を得ることができる。
【００１７】
また、回転軸を中空に形成するとともに、散気装置が該回転軸の内部に微細気泡を含んだ酸素リッチ水を供給することにより、回転軸を通じて微細気泡を下部攪拌羽根の下側に供給することができる。
【発明を実施するための最良の形態】
【００１８】
以下、本発明の曝気攪拌機の実施の形態を、図面に基づいて説明する。
【００１９】
本発明の曝気攪拌機は、図１に示すように、回転軸１の上部に上向き流を発生させる上部攪拌羽根２を取り付けるとともに、回転軸１の下部に下向き流を発生させる下部攪拌羽根３を取り付けている。
そして、上下部の攪拌羽根２、３の間に取水口４１を有して回転軸１の周囲を覆う筒体４を設け、下部攪拌羽根３の下側と上部攪拌羽根２の上側とに上下部の筒管５１、５２から気泡を供給する散気装置５を設けている。
【００２０】
本発明の曝気攪拌機では、水槽内に吹き込む空気量を大幅に減少させ、その吹き込みに要するブロワ５３の動力を大幅に低減する。
一方では、少量の空気を水槽内に長時間滞留させるとともに、底部流速を確保するために、水流の軌跡が長距離となるような強制対流を発生させるための攪拌羽根２、３の動力を追加するが、その攪拌羽根２、３は所要動力に対して吹き出し流量が大きな高効率のものであるため、追加する動力は僅かでよい。
水槽内の汚水（活性汚泥混合液など）に吹き込む空気量を減少させるにもかかわらず、汚水への酸素溶解速度を一定量に保つために以下のことを行う。
【００２１】
（１）汚水に滞留させる気泡径を微小とし、気泡の持つ浮力を減少させることにより、気泡は攪拌羽根２、３で発生する水流に導かれ、水面に浮上するまでに水流とともに水槽内の長距離を移動するようになる。
【００２２】
（２）一般的に、気泡を放出する気孔を小さくしても、それに伴って気泡は小さくならず、圧力損失が増加し、所要動力が増加することが知られている。
それを防止するために、上下部の筒管５１、５２から吹き出す気泡径においては、放出直後は必ずしも微細とはせず、一旦大きめの気孔から大きめの気泡を発生させ、その気泡を攪拌羽根２、３による強いせん断作用により微細化する。
【００２３】
（３）気孔を施した上下部の筒管５１、５２の断面は円形であり、気孔はその内側にあるため、気孔から吹き出された気泡は円形断面の表面を滑るように移動し、上下部の筒管５１、５２の内側に発生するせん断流により微細化される。
【００２４】
（４）気孔を施した上下部の筒管５１、５２は、筒体４の水流吹き出し部とほぼ同一内径のリング形状としており、水流の障害物にはならない構造としている。
【００２５】
（５）微細気泡を水槽底部に長時間滞留させるために、上向き流と下向き流の２重の流れを発生させる。
（６）上向き流と下向き流の流量比は、３：７から７：３までとし、特に、５：５程度が下向き流の水流により気泡の滞留時間を延長するのに適している。
【００２６】
（７）滞留時間の延長に適した気泡の供給位置は、下向き流の吹き出し部直下であることが判っており、この位置に下部筒管５２を配置する。
【００２７】
（８）下向き流の微細気泡が主に滞留するエリアは水槽の下半分となるため、上半分にも微細気泡を滞留させるために、別途、上向き流の吹き出し部の上にも気孔を施した上部筒管５１を配置し、水槽上部にも気泡を拡散させる。
この場合、気泡発生面積を確保する上でも、上下部の筒管５１、５２は、筒体４の水流吹き出し部とほぼ同一内径のリング形状とし、水流の障害物にはならない構造とする。
【実施例１】
【００２８】
図１に、本発明の曝気攪拌機の第１実施例を示す。
この曝気攪拌機は、電動機１１により回転する回転軸１の上部に上向き流を発生させる上部攪拌羽根２を取り付けるとともに、回転軸１の下部に下向き流を発生させる下部攪拌羽根３を取り付け、該上下部の攪拌羽根２、３の間に取水口４１を有して回転軸１の周囲を覆う筒体４を設けている。
そして、下部攪拌羽根３の下側と上部攪拌羽根２の上側とに気泡を供給する散気装置５を設けている。
【００２９】
散気装置５は、水槽内に設置された、内側に気孔を有する下部筒管５２と上部筒管５１とに、ブロワ５３による空気（酸素）を導管５４を通して送風することにより、上下部の筒管５１、５２から気泡を放出する。
放出された気泡は、上部攪拌羽根２又は下部攪拌羽根３により発生する下部水流Ｓ１又は上部水流Ｓ２により微細化される。
下部水流Ｓ１は下部筒管５２の特に下側において乱れが強くなり、気泡を微細化し、気泡の直径は微小となる。
【００３０】
微小の直径となった気泡は浮力を失い、下部攪拌羽根３が発生する下向き流に導かれて水槽内で長距離を移動するため、結果的に長時間滞留することになる。
しかも、上向き流の上部水流Ｓ２が水槽の上部で循環し、蓋のように作用するため、下向き流とともに流れた気泡は、水深方向の中央部又は底部に長時間滞留する。
また、上部筒管５１から放出される気泡も、下部筒管５２からのものと同様に上部水流Ｓ２により微細化され、上部水流Ｓ２とともに今度は水槽の上部付近を長時間滞留する。
【００３１】
かくして、本第１実施例の曝気攪拌機は、回転軸１の上部に上向き流を発生させる上部攪拌羽根２を取り付けるとともに、回転軸１の下部に下向き流を発生させる下部攪拌羽根３を取り付け、該上下部の攪拌羽根２、３の間に取水口４１を有して回転軸１の周囲を覆う筒体４を設け、少なくとも下部攪拌羽根３の下側に気泡を供給する散気装置５を設けることから、散気装置５からの気泡を下部攪拌羽根３による強いせん断作用により微細化することができ、これにより、気泡を供給する気孔の径を大きくして空気の出口抵抗を減少させることができる。
また、微細化した気泡は曝気攪拌機による下降、上昇の水流とともに水槽の下部に長く滞留し、供給する空気量が少なくても必要な酸素溶解速度を得ることができ、これにより、空気の供給量を減じて散気装置５のブロワ５３の動力を大幅に低減することができる。
また、下部攪拌羽根３の水流により、汚泥堆積を防止するために十分な底部流速の確保と槽内の均質攪拌を図ることができる。
【００３２】
そして、散気装置５が、上部攪拌羽根２の上側に気泡を供給することにより、散気装置５からの気泡を上部攪拌羽根２による強いせん断作用により微細化するとともに、微細化した気泡は水流とともに水槽の上部に長く滞留することができる。
【００３３】
また、気泡を放出する気孔を上下部の筒管５１、５２の内側に設け、該上下部の筒管５１、５２の内径を筒体４の上部又は下部開口部と略同径にすることにより、上下部の筒管５１、５２の内側に発生するせん断流により気泡を微細化するとともに、攪拌羽根２、３の水流の障害物にはならない構造とすることができる。
【実施例２】
【００３４】
図２に、本発明の曝気攪拌機の第２実施例を示す。
断面が多角形の筒管５５は、吹き出す気泡の量を多くする場合の散気管であり、図１に示す下部筒管５２より多くの気孔をその内側に設けることができる。
空気量に応じて、断面が円形の下部筒管５２を複数段重ねるか、断面が多角形の筒管５５を設けるかを選択する。
【００３５】
また、この第２実施例の曝気攪拌機は、上部筒管５１としても、断面が多角形の筒管５５を配置している。
なお、この第２実施例の曝気攪拌機のその他の構成は、第１実施例と同様であるため、その説明を省略する。
【００３６】
このように、本第２実施例の曝気攪拌機は、断面を円形又は多角形に形成した筒管５５の内側に気孔を設けることにより、気孔を密集させ、攪拌羽根２、３の水流による負圧を利用して、空気を吹き込む動力を減らしたり、大気圧で気泡を供給したりすることができる。
【実施例３】
【００３７】
図３に、本発明の曝気攪拌機の第３実施例を示す。
この曝気攪拌機は、散気装置６が、水に微細気泡を発生させるとともに、該微細気泡を含んだ酸素リッチ水を外部から供給することにより、微細化した気泡を地上側で水に発生させている。
また、回転軸１を中空に形成するとともに、散気装置６が該回転軸１の内部に微細気泡を含んだ酸素リッチ水を供給することにより、回転軸１を通じて微細気泡を下部攪拌羽根３の下側に供給するようにしている。
なお、図３において、第１実施例と同様の構成は、同一符号を記すことによりその説明を省略する。
【００３８】
具体的には、上部筒管６１及び下部筒管６２は、図１に示す上部筒管５１及び下部筒管５２と同様の位置に配置しているが、この上部筒管６１及び下部筒管６２からは気泡を含んだ水が放出される。
その水は、元々水槽内の汚水であり、ポンプ６６により汲み上げられ、一時貯留タンク６５に流入する。
その後、微小気泡発生装置により気泡を含んだ水となり、さらに導管６３を通って上部筒管６１及び下部筒管６２から放出される。
【００３９】
また、一時貯留タンク６５に流入した汚水は、導管６４にも流れるように配管されており、回転継ぎ手６７を介して中空の回転軸１の内部を流れ、回転軸１の下部開口部より放出される。
【００４０】
かくして、本第３実施例の曝気攪拌機は、散気装置６が、水に微細気泡を発生させるとともに、該微細気泡を含んだ酸素リッチ水を外部から供給することから、微細化した気泡を地上側で水に発生させ、散気装置６のブロワの動力を大幅に低減するとともに、微細化した気泡を攪拌羽根２、３の水流とともに水槽に長く滞留させ、少量の空気でも必要な酸素溶解速度を得ることができる。
【００４１】
また、回転軸１を中空に形成するとともに、散気装置６が該回転軸１の内部に微細気泡を含んだ酸素リッチ水を供給することにより、回転軸１を通じて微細気泡を下部攪拌羽根３の下側に供給することができる。
【００４２】
以上、本発明の曝気攪拌機について、その実施例に基づいて説明したが、本発明は上記実施例に記載した構成に限定されるものではなく、その趣旨を逸脱しない範囲において適宜その構成を変更することができる。
【産業上の利用可能性】
【００４３】
本発明の曝気攪拌機は、少ない動力でもって、効率的な曝気と攪拌をすることができるという特性を有していることから、省動力化を図るようにした曝気攪拌機として広く好適に用いることができる。
【図面の簡単な説明】
【００４４】
【図１】本発明の曝気攪拌機の第１実施例を示す断面図である。
【図２】同第２実施例を示す部分断面図である。
【図３】同第３実施例を示す断面図である。
【符号の説明】
【００４５】
１    回転軸
１１  電動機
２    上部攪拌羽根
３    下部攪拌羽根
４    筒体
４１  取水口
５    散気装置
５１  上部筒管
５２  下部筒管
５３  ブロワ
５４  導管
５５  断面が多角形の筒管
６    散気装置
６１  上部筒管
６２  下部筒管
６３  導管
６４  導管
６５  一時貯留タンク
６６  ポンプ
６７  回転継ぎ手
【図１】
2010017655.tif 000003
【図２】
2010017655.tif 000004
【図３】
2010017655.tif 000005